(57)【要約】  【目的】  本発明は、戸の開閉方向に移動可能な吊り金具に、戸の上端面に螺合した吊下げボルトを吊下げてなる吊り戸装置に関するもので、作業性にすぐれ、安価な吊り戸装置を提供することを目的とする。    【構成】  戸の上面に螺合した複数個の吊下げボルトを戸の開閉方向に移動可能な吊り金具に吊下げてなる吊り戸装置において、吊下げボルトは、戸の上面に螺合する螺軸部と、螺軸部の上部に位置し螺軸部より大径の頭部と、頭部下方に位置し螺軸部を回動させる頭部より小径の回動操作部を有し、吊り金具は、回動操作部より大きく頭部より小さい係止孔を前面壁から支持壁に連続して有し、前面壁側の係止孔の上端は頭部挿通部に連続し、前面壁の前方から頭部及び回動操作部が挿通し、頭部下面が支持壁に支持された状態で、回動操作部が支持壁の下方に突出し、頭部が前面壁の後方に位置した状態に、吊下げボルトを介して戸が吊り金具に吊下げられているものである。【選択図】    図５
2005240272.tif 000002
【特許請求の範囲】
【請求項１】
戸の上面に螺合した複数個の吊り下げボルトを戸の開閉方向に移動可能な吊り金具に吊り下げてなる吊り戸装置において、吊り下げボルトは、戸の上面に螺合する螺軸部と、螺軸部の上部に位置し螺軸部より大径の頭部と、頭部下方に位置し螺軸部を回動させる頭部より小径の回動操作部を有し、吊り金具は、回動操作部より大きく頭部より小さい係止孔を前面壁から支持壁に連続して有し、前面壁側の係止孔の上端は頭部挿通部に連続し、前面壁の前方から頭部及び回動操作部が挿通し、頭部下面が支持壁に支持された状態で、回動操作部が支持壁の下方に突出し、頭部が前面壁の後方に位置した状態に、吊り下げボルトを介して戸が吊り金具に吊り下げられていることを特徴とする吊り戸装置。
【請求項２】
戸の上面に螺合した複数個の吊り下げボルトを戸の開閉方向に移動可能な吊り金具に吊り下げてなる吊り戸装置において、吊り下げボルトは、戸の上面に螺合する螺軸部と、螺軸部の上部に位置する螺軸部より大径の頭部と、頭部下方に位置し螺軸部を回動させる頭部より小径の回動操作部を有し、吊り金具は、支持壁と支持壁の前端で上方に所定寸法突出する前面壁を有し、前面壁の上端から支持壁にかけて連続する係止孔が形成され、係止孔は、回動操作部より大きく頭部より小さく形成され、吊り下げボルトの頭部が前面壁の上方を、回動操作部が前面壁側の係止孔を挿通して、頭部下面が支持壁に支持された状態で、回動操作部が支持壁の下方に突出し、頭部が前面壁の後方に位置した状態に、吊り下げボルトを介して戸が吊り金具に吊り下げられていることを特徴とする吊り戸装置。
【請求項３】
係止孔は、前面壁側の上端に、上面が開口し、頭部より大径の傾斜案内部を有していることを特徴とする請求項２に記載の吊り戸装置。
【発明の詳細な説明】
【技術分野】
【０００１】
本発明は、戸の開閉方向に移動可能な吊り金具に、戸の上端面に螺合した吊り下げボルトを吊り下げてなる吊り戸装置に関するものである。
【背景技術】
【０００２】
この種の吊り戸装置としては、上部に設けたレールに沿って移動可能な支持体（本発明では吊り金具）に、引戸を複数の吊支ロッドで吊り下げてなる吊り下げ式引戸において、支持体は垂直板とその下端に後方に向けて直角に形成した受板とを有し、前記垂直板の下端複数箇所には開口を形成すると共に、該開口に連続するよう前記受板の折曲縁寄りに係止孔を形成し、前記引戸の上端面複数箇所に螺合した吊支ロッドの頭部を前方から開口内に挿入し、且つ、吊支ロッドの軸部を係止孔内に位置させるとともに、頭部を受板に係止してなるものがある。（例えば、特許文献１参照。）
【０００３】
この場合、引戸の高さを調節するには、支持体に設けられた開口内に挿入したスパナで吊支ロッドの頭部を回動させなければならないので、スパナの回動範囲（回動角度）は、開口の巾に影響される。（開口巾を最大にしても、スパナを１８０度回動させることは不可能。）従って、引戸を所望の高さに調節するには、スパナを開口から何度も出し入れし、その都度、スパナを吊支ロッドの頭部に嵌合させなければならず、煩雑な作業となっていた。
一方、吊支ロッドの頭部が開口内に挿入された状態で、吊支ロッドの軸部を支持体に設けられた係止孔内に位置せしめる構成であるから、開口を大きくすると、頭部を開口に挿入した状態を維持しながら、引戸を移動させつつ、軸部を係止孔に嵌入させなければならないため、吊り下げ作業を一人で行う事は困難であり、吊り下げ作業および、引戸の高さ調節作業の双方を簡単に行うことが出来なかった。
【０００４】
さらに、開口は垂直板の下端に設けられているので、受板に頭部を係止した状態では、不測に扉が前方向に移動した時、頭部が開口から脱落する恐れがあるため、保持部材で開口を塞ぐ必要があった。
このため、部材点数が増えてコストアップになるとともに、新たに保持部材の取付作業が必要となる問題があった。
【０００５】
【特許文献１】特許第３２５５１２７号公報
【発明の開示】
【発明が解決しようとする課題】
【０００６】
本発明は、作業性にすぐれ、安価に製作できる吊り戸装置を提供することを課題とする。
【課題を解決するための手段】
【０００７】
そこで、上記課題を解決する為、本発明が第１の手段として構成したところは、戸の上面に螺合した複数個の吊り下げボルトを戸の開閉方向に移動可能な吊り金具に吊り下げてなる吊り戸装置において、吊り下げボルトは、戸の上面に螺合する螺軸部と、螺軸部の上部に位置し螺軸部より大径の頭部と、頭部下方に位置し螺軸部を回動させる頭部より小径の回動操作部を有し、吊り金具は、回動操作部より大きく頭部より小さい係止孔を前面壁から支持壁に連続して有し、前面壁側の係止孔の上端は頭部挿通部に連続し、前面壁の前方から頭部及び回動操作部が挿通し、頭部下面が支持壁に支持された状態で、回動操作部が支持壁の下方に突出し、頭部が前面壁の後方に位置した状態に、吊り下げボルトを介して戸が吊り金具に吊り下げられているものである。
【０００８】
次に、本発明が第２の手段として構成したところは、戸の上面に螺合した複数個の吊り下げボルトを戸の開閉方向に移動可能な吊り金具に吊り下げてなる吊り戸装置において、吊り下げボルトは、戸の上面に螺合する螺軸部と、螺軸部の上部に位置する螺軸部より大径の頭部と、頭部下方に位置し螺軸部を回動させる頭部より小径の回動操作部を有し、吊り金具は、支持壁と支持壁の前端で上方に所定寸法突出する前面壁を有し、前面壁の上端から支持壁にかけて連続する係止孔が形成され、係止孔は、回動操作部より大きく頭部より小さく形成され、吊り下げボルトの頭部が前面壁の上方を、回動操作部が前面壁側の係止孔を挿通して、頭部下面が支持壁に支持された状態で、回動操作部が支持壁の下方に突出し、頭部が前面壁の後方に位置した状態に、吊り下げボルトを介して戸が吊り金具に吊り下げられているものである。
【０００９】
次に、本発明が第３の手段として構成したところは、第２の手段としての構成に加え、係止孔は、前面壁側の上端に、上面が開口し、頭部より大径の傾斜案内部を有しているものである。
【発明の効果】
【００１０】
請求項１に記載の発明によると、頭部より小さい係止孔を前面壁から支持壁に連続して有し、前面壁側の係止孔の上端は頭部挿通部に連続し、前面壁の前方から頭部及び回動操作部が挿通し、頭部下面が支持壁に支持された状態で、回動操作部が支持壁の下方に突出し、頭部が前面壁の後方に位置した状態に吊り下げボルトを介して戸が吊り金具に吊り下げられているので、吊り金具に対する吊り下げボルトの吊り下げは、前方から回動操作部を係止孔に挿通する作業だけで簡単に行う事が出来、スパナを支持壁の下方で回動できるので、回動範囲（回動角度）を１８０度以上にすることもでき、吊り戸の高さ調節が非常に容易であり、しかも、頭部下面が支持壁に支持された状態で頭部が前面壁の後方に位置しているので、不測に戸が前方に移動することがなく、従って、吊り下げボルトが吊り金具から脱落する恐れもない。
【００１１】
請求項２に記載の発明によると、前記効果に加え、前面壁は支持壁の前端で上方に所定寸法突出しているだけであるから、係止孔の近傍で頭部下面を前面壁の上端に係止するようにした後、係止孔に回動操作部を挿通するようにすればより簡単に戸を吊り下げることが出来る。
【００１２】
請求項３に記載の発明によると、請求項２に記載の発明の効果に加え、係止孔は、前面壁側の上端に、上面が開口し、頭部より大径の傾斜案内部を有しているもので、係止案内部に頭部を位置させ、下方後方に吊り下げボルトを押しやるようにすれば、回動操作部は簡単に係止孔に挿通するので、戸の吊り下げ作業が一層容易である。
【発明を実施するための最良の形態】
【００１３】
本発明は、戸の上面に螺合した複数個の吊り下げボルトを戸の開閉方向に移動可能な吊り金具に吊り下げてなる吊り戸装置において、吊り下げボルトは、戸の上面に螺合する螺軸部と、螺軸部の上部に位置する螺軸部より大径の頭部と、頭部下方に位置し螺軸部を回動させる頭部より小径の回動操作部を有し、吊り金具は、支持壁と支持壁の前端で上方に所定寸法突出する前面壁を有し、前面壁の上端から支持壁にかけて連続する係止孔が形成され、係止孔は、回動操作部より大きく頭部より小さく形成され、吊り下げボルトの頭部が前面壁の上方を、回動操作部が前面壁側の係止孔を挿通して、頭部下面が支持壁に支持された状態で、回動操作部が支持壁の下方に突出し、頭部が前面壁の後方に位置した状態に、吊り下げボルトを介して戸が吊り金具に吊り下げられているものである。
【実施例１】
【００１４】
以下、添付図面に基づいて実施例を詳述する。
図１において、符号１は吊り戸枠を示している。
吊り戸枠１は、建物側の鉄骨１０１・・・のブラケット１０２・・・に溶接され、下端部が床面仕上げ時に床面に埋め込まれ、所定間隔を有して固定された戸尻側縦枠１１と戸先側縦枠１２と、戸尻側縦枠１１と戸先側縦枠１２の上端間に配設され、建物側鉄骨１０１のブラケット１０２に溶接固定された上枠１３より門形に形成されている。
【００１５】
符号１４は吊り戸支持枠を示している。吊り戸支持枠１４は、戸尻側縦枠１１と戸先側縦枠１２の内面に高さ調節可能に連結され、戸尻側縦枠１１と戸先側縦枠１２の上部間に配設され、内面にスライドレール２が着脱自在に連結されている。
符号１６、１７は室外側戸袋パネルと室内側戸袋パネルを示している。
室外側戸袋パネルと１６と室内側戸袋パネル１７は対向したほぼ同一の構成で、床面に配設された戸袋ベース１６０に下端部が支持され、戸先側の上端部が、取付金具を介して、吊り戸支持枠１４の室外側面、室内側面にそれぞれ連結され、戸尻側の端面が、戸尻側縦枠１１の内面に設けられた戸袋パネル係止部に係合して、前後方向に所定間隔を有して配設されて戸袋を構成している。
【００１６】
符号１８、１９は室内側ランマパネルと室外側ランマパネルを示している。
室内側ランマパネル１８と室外側ランマパネル１９は対向したほぼ同一の構成で、上端が上枠１３の下面に係止され、左右端部が戸尻側縦枠１１と戸先側縦枠１２の内面に設けられたランマ取付部にネジ止めされて、吊り戸枠１に着脱自在となし、室内側ランマパネル１８（吊り戸支持枠１４のスライドレール２が取付けられる側）をメンテナンス等のための点検パネルとしている。
符号５は戸を示し、上部は、スライドレール２を介して吊り戸支持枠１４に吊り下げられ、扉５の下端面のローラー嵌合溝５２は、戸袋ベース１６０の戸先側端部に設けられたガイドローラー５０に嵌合して前後方向への振れ止めがなされている。
【００１７】
吊り戸支持枠１４は、図２、図４に示す如く、室内側下方部と下面が開口してレール取付用開口１４０が形成され、該レール取付用開口１４０に臨む垂直状のレール取付面１５を有する断面略逆Ｌ字型に形成され、レール取付面１５にスライドレール２が着脱自在に取付られている。
【００１８】
スライドレール２は、図４に示す如く、スライド装置２１と、アルミの押出材より形成された、スライド装置２１の補強材２０が一体に連結されて構成されている。
そして、その開閉方向の長さは、戸５の移動距離よりやや長めに形成され、吊り戸支持枠材１４のレール取付面１５の室内側にネジ止めにて着脱自在に取付られている。
この時、戸５が自閉するよう、スライドレール２は戸先側が前下がりとなるよう取付けられている。
【００１９】
スライド装置２１は、図４に示す如く、補強材２０の室内側に保持される断面略Ｃ字形のアウターメンバー２２と、アウターメンバー２２にボールリテーナー２３に保持された複数個のボール２４・・・を介してスライド自在に保持される断面略Ｃ字形のインナーメンバー２５より構成されており、補強材２０とアウターメンバー２２は戸５の移動距離よりやや長めに形成され、インナーメンバー２５は戸５の開閉方向の幅よりやや小さ目に形成され、ボールリテーナー２３はインナーメンバー２５より２倍強の幅に形成されている。
【００２０】
符号６はインナーメンバー２５の室内側に固着された吊り金具６を示している。
吊り金具６は、インナーメンバー２５と開閉方向にほぼ同幅で、インナーメンバー２５の室内側に固着される取付壁６１と、取付壁６１の下端部をスライドレール２の下方で室外側ランマパネル１９方向に突出させた上部突壁６２と、上部突壁６２の室外側ランマパネル１９側端部を下方に突出させた後面壁６３と、後面壁６３の下端部を室内側ランマパネル１８方向に突出させた支持壁６４と、支持壁６４の室内側ランマパネル１８側端部を所定寸法上方に突出せしめた前面壁６５より構成されている。
すなわち、前面壁６５と上部突壁６２間に後記する吊り下げボルト８の頭部挿通部８０が構成される。
そして、戸５の上面開閉方向の所定位置に取付られた（通常、戸先側と戸尻側の２箇所）吊り下げボルト８の位置に対応して、後記する係止孔７・・・が形成されている。
【００２１】
尚、実施例では、吊り金具６は連続して一体に構成されているが、吊り戸装置の種類に応じて、吊り金具６の寸法が異なる（上部突壁６２、後面壁６３と、支持壁６４と、前面壁６５に相当する部分）のが通例であり、しかも、吊り金具６はスライドレール２に固着された状態で、スライドレール２として在庫されているため、吊り金具６の種類の数だけ、スライドレール２の種類が必要となる。
そこで、取付壁６１の部分とそれ以外の部分を分離して構成することでスライドレール２の種類を削減し、吊り戸装置の施工時、上部突壁６２、後面壁６３と、支持壁６４と、前面壁６５に相当する個所を取付壁６１にボルト等で連結するようにして構成しても良い。（図４に仮想線で示す。）
【００２２】
吊り下げボルト８は、図５、図６に示すように  戸５の上面に固着されたナット５１に螺合する螺軸部８１と、螺軸部８１の上部に位置し螺軸部より大径で且つ係止孔７の開閉方向の巾よりも大径の頭部８２と、頭部８２の下面に位置し、係止孔７内に位置する円筒形の回動部８５と、回動部８５の下方で螺軸部を回動させる、頭部８２より小径の回動操作部８３より構成されている。
そして前記係止孔７は、戸５の開閉方向で回動操作部８３よりやや大きめで、前面壁６５の上端面で開口し、前面壁６５から支持壁６４の室外側ランマパネル１９側の所定位置まで連続して形成されている。
すなわち、前面壁６５の係止孔７の上方で開閉方向の全幅が吊り下げボルト８の頭部挿通部８０となるが、吊り下げボルト８の頭部８２の寸法に対して吊り金具６の高さ方向の寸法が小さい場合（前面壁６５の上端と上部突壁６２間の寸法が小さく、頭部８２が挿通しない恐れがある場合）は、前面壁６５の上端面から係止孔７の上端まで連続して頭部８２より大きく切り欠いて、頭部挿通部８０とすることも可能である。
又、第２実施例（図６に示す。）では、係止孔７の前面壁６５の上端面側に、開閉方向に傾斜する頭部８２より大きい切り欠きを連設して案内傾斜部９を形成している。
【００２３】
本発明は上記の如く構成され、戸５をやや持ち上げて、係止孔７の近傍で、吊り下げボルト８の頭部８２を頭部挿通部８０に位置させながら、開閉方向に動かして、係止孔７内に回動操作部８３、螺軸部８１を嵌入し、戸５を室外側ランマパネル１９側に押しやり、戸５のガイドローラー嵌合溝５２にガイドローラー５０が嵌合する位置で、戸５を下げると、ガイドローラー５０にガイドローラー嵌合溝５２が嵌合し、同時に頭部８２の下面が支持壁６４の上面に支持され、且つ、頭部８２は前面壁６５の室外側ランマパネル１９側に位置するので、戸５が室内側にはずれる事がない。
そしてこの状態で、回動操作部８３は支持壁６４の下方に突出するので、回動操作部８３にスパナを嵌合し、回動することで、戸５は上下動するので、戸先側縦枠１２（戸当り受け部材１１１）と戸５の戸先側側端部（戸当り部材５３）を閉鎖時に密着するよう調整できる。しかも、スパナは支持壁６４の下方で回動するので一度に１８０度以上でも回動させることができ、そのため戸５の高さ調節が非常に容易である。
【００２４】
第２実施例の場合は、係止孔７の上方付近で戸５をやや持ち上げて、室外側ランマパネル１９側方向にやや押しやり、戸５をおろすと案内傾斜部９によって、回動操作部８３、螺軸部８１は係止孔７内に自然と嵌入するので一段と作業性が良い。
【図面の簡単な説明】
【００２５】
【図１】本発明の吊り戸装置の正面図
【図２】本発明の吊り戸装置の要部縦断面図
【図３】本発明の吊り戸装置の要部横断面図
【図４】本発明の要部拡大縦断面図
【図５】本発明の第１実施例の要部斜視図
【図６】本発明の第２実施例の要部斜視図
【符号の説明】
【００２６】
１            吊り戸枠
１１          戸尻側縦枠
１２          戸先側縦枠
１３          上枠
１４          吊り戸支持枠
２            スライドレール
５            戸
６            吊り金具
６４          支持壁
６５          前面壁
７            係止孔
８            吊り下げボルト
８０          頭部挿通部
８１          螺軸部
８２          頭部
８３          回動操作部
【図１】
2005240272.tif 000003
【図２】
2005240272.tif 000004
【図３】
2005240272.tif 000005
【図４】
2005240272.tif 000006
【図５】
2005240272.tif 000007
【図６】
2005240272.tif 000008